【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
第１のビットレートを有する第１のビットストリームを受信するステップと、
第２のビットレートを有する第２のビットストリームを受信するステップと、
前記第１のビットストリームと前記第２のビットストリームとの合計ビットレートを判定するステップと、
前記合計ビットストリームが閾値を超えたことに応答して前記第１のビットストリームの第１のコンテンツおよび前記第２のビットストリームの第２のコンテンツを判定するステップと、
前記第１のコンテンツが前記第２のコンテンツより優先順位が低いとの判定に応答して前記第１のビットストリームの前記第１のビットレートの調整を要求するステップと、
を含む、方法。
【請求項２】
前記優先順位はユーザによって決定される、請求項１に記載の方法。
【請求項３】
前記優先順位はサービスプロバイダによって決定される、請求項１に記載の方法。
【請求項４】
前記優先順位は利用状況の分析に応答して決定される、請求項１に記載の方法。
【請求項５】
前記第１のビットレートが最小ビットレートに達したことに応答して、前記第２のビットレートの低減を要求するステップをさらに含む、請求項１に記載の方法。
【請求項６】
前記優先順位は前記第１のコンテンツおよび前記第２のコンテンツの圧縮の品質に応答して決定される、請求項１に記載の方法。
【請求項７】
前記第１のビットレートの前記調整は前記第１のビットストリームのビデオ品質を向上させるために、利用可能な帯域幅を有するネットワークノードに応答して要求される、請求項１に記載の方法。
【請求項８】
第１のビットレートを有する第１のビットストリームの信号ソースと、
第２のビットレートを有する第２のビットストリームの信号ソースと、
前記第１のビットストリームと前記第２のビットストリームとの合計ビットストリームが閾値を超えることに応答して前記第１のビットストリームの第１のコンテンツと前記第２のビットストリームの第２のコンテンツとを判定し、前記第１のコンテンツが前記第２のコンテンツより優先順位が低いとの判定に応答して前記第１のビットストリームの第１のビットレートの調整を要求するプロセッサと、
を含む、装置。
【請求項９】
前記優先順位はユーザによって決定される、請求項８に記載の装置。
【請求項１０】
前記優先順位はサービスプロバイダによって決定される、請求項８に記載の装置。
【請求項１１】
前記優先順位は利用状況の分析に応答して決定される、請求項８に記載の装置。
【請求項１２】
前記第１のビットレートが最小ビットレートに達したことに応答して、前記第２のビットレートの低減を要求するステップをさらに含む、請求項８に記載の装置。
【請求項１３】
前記優先順位は前記第１のコンテンツおよび前記第２のコンテンツの圧縮の品質に応答して決定される、請求項８に記載の装置。
【請求項１４】
前記第１のビットレートの前記調整は、前記第１のビットストリームのビデオ品質を向上させるために、利用可能な帯域幅を有するネットワークノードに応答して要求され、前記優先順位が低いことはより高品質な映像が必要とされることを示す、請求項８に記載の装置。
【請求項１５】
第１のビットレートを有する第１のビットストリームを受信するステップと、
第２のビットレートを有する第２のビットストリームを受信するステップと、
前記第１のビットストリームと前記第２のビットストリームとの合計ビットレートを判定するステップと、
前記合計ビットストリームが閾値未満であること応答して前記第１のビットストリームの第１のコンテンツと前記第２のビットストリームの第２のコンテンツを判定するステップと、
前記第１のコンテンツが前記第２のコンテンツより優先順位が高いとの判定に応答して前記第１のビットストリームの前記第１のビットレートの調整を要求するステップと、
を含む、方法。
【請求項１６】
前記優先順位はユーザによって決定される、請求項１５に記載の方法。
【請求項１７】
前記優先順位はサービスプロバイダによって決定される、請求項１５に記載の方法。
【請求項１８】
前記優先順位は利用状況の分析に応答して決定される、請求項１５に記載の方法。
【請求項１９】
前記第１のビットレートが最大ビットレートに達したことに応答して、前記第２のビットレートの増加を要求するステップをさらに含む、請求項１５に記載の方法。
【請求項２０】
前記優先順位は前記第１のコンテンツおよび前記第２のコンテンツの圧縮の品質に応答して決定される、請求項１５に記載の方法。
【請求項２１】
第１のビットレートを有する第１のビットストリームの信号ソースと、
第２のビットレートを有する第２のビットストリームの信号ソースと、
前記第１のビットストリームと前記第２のビットストリームとの合計ビットストリームが閾値未満であることに応答して前記第１のビットストリームの第１のコンテンツおよび前記第２のビットストリームの第２のコンテンツを判定し、前記第１のコンテンツが前記第２のコンテンツより優先順位が高いとの判定に応答して前記第１のビットストリームの前記第１のビットレートの調整を要求するプロセッサと、
を含む、装置。
【請求項２２】
前記優先順位はユーザによって決定される、請求項２１に記載の装置。
【請求項２３】
前記優先順位はサービスプロバイダによって決定される、請求項２１に記載の装置。
【請求項２４】
前記優先順位は利用状況の分析に応答して決定される、請求項２１に記載の装置。
【請求項２５】
前記第１のビットレートが最大ビットレートに達したことに応答して、前記第２のビットレートの調整を要求するステップをさらに含む、請求項２１に記載の装置。
【請求項２６】
前記優先順位は前記第１のコンテンツおよび前記第２のコンテンツの圧縮の品質に応答して決定される、請求項２１に記載の装置。
【請求項２７】
第１のビットレートを有し第１のコンテンツを含む第１のビットストリームを受信するステップと、
帯域幅不足の指示に応答して前記第２のビットストリーム上の第２のコンテンツを示す情報を受信するための要求を送信するステップと、
前記情報を受信し、前記第２のコンテンツを表示するステップと、
前記第１のコンテンツが前記第２のコンテンツより優先順位が高いとの判定に応答して前記第１のビットストリームの第１のビットレートの調整を要求するステップと、
を含む、方法。
【請求項２８】
第１のビットレートを有し、第１のコンテンツを含む第１のビットストリームの信号ソースと、
受信帯域幅不足の指示に応答して第２のビットストリーム上の第２のコンテンツを示す情報を受信するための要求を送信し、前記情報を受信し、前記第２のコンテンツを表示し、前記第１のコンテンツが前記第２のコンテンツより優先順位が高いとの判定に応答して前記第１のビットストリームの前記第１のビットレートの調整を要求するためのプロセッサと、
を含む、装置。
【手続補正２】
【補正対象書類名】明細書
【補正対象項目名】００４５
【補正方法】変更
【補正の内容】
【００４５】
本発明を特定の実施形態に関して説明してきたが、本発明の範囲内に入る変更ができることが理解されよう。例えば、様々な処理ステップは、別々にまたは組み合わせて実装してもよく、汎用または専用のデータ処理ハードウェアで実装するようにしてもよい。
本発明は以下の態様を含む。
（付記１）
第１のビットレートを有する第１のビットストリームを受信するステップと、
第２のビットレートを有する第２のビットストリームを受信するステップと、
前記第１のビットストリームと前記第２のビットストリームとの合計ビットレートを判定するステップと、
前記合計ビットストリームが閾値を超えたことに応答して前記第１のビットストリームの第１のコンテンツおよび前記第２のビットストリームの第２のコンテンツを判定するステップと、
前記第１のコンテンツが前記第２のコンテンツより優先順位が低いとの判定に応答して前記第１のビットストリームの前記第１のビットレートの調整を要求するステップと、
を含む、方法。
（付記２）
前記優先順位はユーザによって決定される、付記１に記載の方法。
（付記３）
前記優先順位はサービスプロバイダによって決定される、付記１に記載の方法。
（付記４）
前記優先順位は利用状況の分析に応答して決定される、付記１に記載の方法。
（付記５）
前記第１のビットレートが最小ビットレートに達したことに応答して、前記第２のビットレートの低減を要求するステップをさらに含む、付記１に記載の方法。
（付記６）
前記優先順位は前記第１のコンテンツおよび前記第２のコンテンツの圧縮の品質に応答して決定される、付記１に記載の方法。
（付記７）
前記第１のビットレートの前記調整は前記第１のビットストリームのビデオ品質を向上させるために、利用可能な帯域幅を有するネットワークノードに応答して要求される、付記１に記載の方法。
（付記８）
第１のビットレートを有する第１のビットストリームの信号ソースと、
第２のビットレートを有する第２のビットストリームの信号ソースと、
前記合計ビットストリームが閾値を超えることに応答して前記第１のビットストリームの第１の内容と前記第２のビットストリームの第２のコンテンツとを判定し、前記第１のコンテンツが前記第２のコンテンツより優先順位が低いとの判定に応答して前記第１のビットストリームの第１のビットレートの調整を要求するプロセッサと、
を含む、装置。
（付記９）
前記優先順位はユーザによって決定される、付記８に記載の装置。
（付記１０）
前記優先順位はサービスプロバイダによって決定される、付記８に記載の装置。
（付記１１）
前記優先順位は利用状況の分析に応答して決定される、付記８に記載の装置。
（付記１２）
前記第１のビットレートが最小ビットレートに達したことに応答して、前記第２のビットレートの低減を要求するステップをさらに含む、付記８に記載の装置。
（付記１３）
前記優先順位は前記第１のコンテンツおよび前記第２のコンテンツの圧縮の品質に応答して決定される、付記８に記載の装置。
（付記１４）
前記第１のビットレートの前記調整は、前記第１のビットストリームのビデオ品質を向上させるために、利用可能な帯域幅を有するネットワークノードドに応答して要求され、前記優先順位が低いことはより高品質な映像が必要とされることを示す、付記８に記載の装置。
（付記１５）
第１のビットレートを有する第１のビットストリームを受信するステップと、
第２のビットレートを有する第２のビットストリームを受信するステップと、
前記第１のビットストリームと前記第２のビットストリームとの合計ビットレートを判定するステップと、
前記合計ビットストリームが閾値未満であること応答して前記第１のビットストリームの第１のコンテンツと前記第２のビットストリームの第２のコンテンツを判定するステップと、
前記第１のコンテンツが前記第２のコンテンツより優先順位が高いとの判定に応答して前記第１のビットストリームの前記第１のビットレートの調整を要求するステップと、
を含む、方法。
（付記１６）
前記優先順位はユーザによって決定される、付記１５に記載の方法。
（付記１７）
前記優先順位はサービスプロバイダによって決定される、付記１５に記載の方法。
（付記１８）
前記優先順位は利用状況の分析に応答して決定される、付記１５に記載の方法。
（付記１９）
前記第１のビットレートが最大ビットレートに達したことに応答して、前記第２のビットレートの増加を要求するステップをさらに含む、付記１５に記載の方法。
（付記２０）
前記優先順位は前記第１のコンテンツおよび前記第２のコンテンツの圧縮の品質に応答して決定される、付記１５に記載の方法。
（付記２１）
第１のビットレートを有する第１のビットストリームの信号ソースと、
第２のビットレートを有する第２のビットストリームの信号ソースと、
前記合計ビットストリームが閾値未満であることに応答して前記第１のビットストリームの第１のコンテンツおよび前記第２のビットストリームの第２のコンテンツを判定し、前記第１のコンテンツが前記第２のコンテンツより優先順位が高いとの判定に応答して前記第１のビットストリームの前記第１のビットレートの調整を要求するプロセッサと、
を含む、装置。
（付記２２）
前記優先順位はユーザによって決定される、付記２１に記載の装置。
（付記２３）
前記優先順位はサービスプロバイダによって決定される、付記２１に記載の装置。
（付記２４）
前記優先順位は利用状況の分析に応答して決定される、付記２１に記載の装置。
（付記２５）
前記第１のビットレートが最大ビットレートに達したことに応答して、前記第２のビットレートの調整を要求するステップをさらに含む、付記２１に記載の装置。
（付記２６）
前記優先順位は前記第１のコンテンツおよび前記第２のコンテンツの圧縮の品質に応答して決定される、付記２１に記載の装置。
（付記２７）
第１のビットレートを有し第１のコンテンツを含む第１のビットストリームを受信するステップと、
帯域幅不足の指示に応答して前記第２のビットストリーム上の第２のコンテンツを示す情報を受信するための要求を送信するステップと、
前記情報を受信し、前記第２のコンテンツを表示するステップと、
前記第１のコンテンツが前記第２のコンテンツより優先順位が高いとの判定に応答して前記第１のビットストリームの第１のビットレートの調整を要求するステップと、
を含む、方法。
（付記２８）
第１のビットレートを有し、第１のコンテンツを含む第１のビットストリームの信号ソースと、
受信帯域幅不足の指示に応答して第２のビットストリーム上の第２のコンテンツを示す情報を受信するための要求を送信し、前記情報を受信し、前記第２のコンテンツを表示し、前記第１のコンテンツが前記第２のコンテンツより優先順位が高いとの判定に応答して前記第１のビットストリームの前記第１のビットレートの調整を要求するためのプロセッサと、
を含む、装置。